(57)【特許請求の範囲】
【請求項１】
支柱を差し込み保持する複数の支柱保持部材を備えた基台と、前記支柱保持部材に差し込んで基台上に立設可能な支柱と、前記支柱に対して着脱自在に構成された中間棚とを備えた組立て式物品載置棚であって、
前記支柱保持部材に支柱を差し込んだ際、前記支柱保持部材と支柱とのいずれか一方に設けた切欠きと他方に設けた突起との係合によって、前記支柱保持部材に対する支柱の下方への移動を阻止する係合手段を前記支柱保持部材と支柱とに設け、かつ、前記係合手段の係合状態において、その係合手段を中心として前記支柱の下部が揺動するのを阻止する係合式揺動阻止手段を、前記係合手段による係合が深まる方向に行くほど、前記係合式揺動阻止手段による係合も深まる状態に設け、
前記係合手段が、前記支柱保持部材の上端に設けられたほぼＶ字状の切欠きと、前記支柱に設けられたほぼＶ字状の突起とで構成され、かつ、前記係合式揺動阻止手段が、前記支柱保持部材の下端に設けられたほぼＶ字状の底板と、その底板に接当する前記支柱の下端部とで構成されている組立て式物品載置棚。
【請求項２】
前記底板の一辺のみが、前記支柱保持部材に一体的に連設されていて、その連設された一辺を中心として、前記底板が、上下方向に弾性変形可能に構成されている請求項１に記載の組立て式物品載置棚。
【請求項３】
前記底板のＶ字状の横側面が開放されている請求項２に記載の組立て式物品載置棚。
【発明の詳細な説明】
【０００１】
【発明の属する技術分野】
本発明は、支柱を差し込み保持する複数の支柱保持部材を備えた基台と、前記支柱保持部材に差し込んで基台上に立設可能な支柱と、前記支柱に対して着脱自在に構成された中間棚とを備えた組立て式物品載置棚に関する。
【０００２】
【従来の技術】
このような構成の組立て式物品載置棚は、支柱保持部材に支柱を差し込んだ際、支柱がふらついたり、がたついたりしないようにする必要があり、従来、図１２に示すように、有底筒状の支柱保持部材２Ａの上端にほぼＶ字状の切欠き１２ａを設け、そのＶ字状の切欠き１２ａに係合するＶ字状の突起１２ｂを支柱３側に設け、支柱保持部材２Ａに支柱３を差し込んだ際、支柱３側の突起１２ｂが支柱保持部材２Ａ側の切欠き１２ａに係合して、支柱保持部材２Ａに対する支柱３の下方への移動を阻止するとともに、支柱３の下端部が支柱保持部材２Ａの底板に接当するように構成したものが知られている。
【０００３】
【発明が解決しようとする課題】
この従来の構成によれば、上述した切欠き１２ａと突起１２ｂとの係合によって、支柱保持部材２Ａに対する支柱３のふらつきなどを軽減することは可能であるが、未だ改良の余地があった。
つまり、支柱保持部材２Ａに対して支柱３を円滑に抜き差ししようとすると、支柱保持部材２Ａの内法寸法よりも支柱３の外法寸法の方を若干小さくする必要がある。そのため、上述した切欠き１２ａと突起１２ｂとの係合状態において、その係合箇所を中心として、支柱３の下端部が、図１２中に矢印で示すように、左右や前後に揺動し、その揺動に伴って支柱３に取り付けた中間棚にがたつきが生じて、その中間棚上に物品を安定良く載置し得ないという問題があった。
【０００４】
本発明は、このような従来の問題点に着目したもので、その目的は、支柱保持部材に対して支柱を円滑に抜き差しすることができるにもかかわらず、支柱保持部材に支柱を差し込んだ際には、支柱保持部材に対して支柱をがたつきのない状態で差し込み保持できる組立て式物品載置棚を提供することにある。
【０００５】
【課題を解決するための手段】
この目的を達成するため、請求項１に記載の発明によれば、基台に設けた支柱保持部材に支柱を差し込んだ際、支柱保持部材と支柱とのいずれか一方に設けた切欠きと他方に設けた突起との係合によって、前記支柱保持部材に対する支柱の下方への移動を阻止する係合手段を前記支柱保持部材と支柱とに設けるものであるから、この係合手段によって支柱の下方への移動が阻止され、ある程度、支柱保持部材に対する支柱のふらつきやがたつきが回避される。
そして、その係合手段の係合状態において、係合手段を中心として支柱の下部が揺動するのを阻止する係合式揺動阻止手段を、前記係合手段による係合が深まる方向に行くほど、前記係合式揺動阻止手段による係合も深まる状態に設けるものであるから、この係合式揺動阻止手段によって支柱下部の揺動も阻止され、その結果、前記係合手段と係合式揺動阻止手段との相乗作用により、各支柱が支柱保持部材に対してがたつきの少ない状態で差し込み保持される。
したがって、各支柱保持部材に対して支柱を円滑に抜き差しできるように、支柱保持部材の内法寸法よりも支柱の外法寸法の方を多少小さくしても、各支柱保持部材に対して支柱を確実の保持させることができる。
【０００６】
しかも、前記係合手段が、支柱保持部材の上端に設けられたほぼＶ字状の切欠きと、支柱に設けられたほぼＶ字状の突起とで構成されるので、比較的簡単な構成でありながら、支柱側の突起を支柱保持部材側の切欠きに係合させるのも容易であり、さらに、前記係合式揺動阻止手段も、支柱保持部材の下端に設けられたほぼＶ字状の底板と、その底板に接当する支柱の下端部とで構成されるものであるから、この係合式揺動阻止手段の方も簡単な構成であり、それでいて、支柱を下方へ押しつけることにより、前記係合手段と係合式揺動阻止手段との係合を共に深まる側に作用させることができ、中間棚に物品を載置すればする程、その物品の荷重によって各支柱がより確実に保持されることになる。
【０００７】
請求項２に記載の発明によれば、前記支柱保持部材の底板の一辺のみが、その支柱保持部材に一体的に連設されていて、その連設された一辺を中心として、底板が上下方向に弾性変形可能に構成されているので、前記係合手段と係合式揺動阻止手段との位置関係に多少の製作誤差があっても、その製作誤差は、前記底板の弾性変形によって吸収されることになり、その結果、係合手段や係合式揺動手段に対して厳密な精度が要求されずに製作も容易となる。
【０００８】
請求項３に記載の発明によれば、前記底板のＶ字状の横側面が開放されているので、支柱保持部材に錆止めや塗料などを浸漬処理等によって塗布する際、その塗布作業が容易となり、かつ、支柱保持部材内部の保護にも効果がある。
つまり、支柱保持部材に塗料などを塗布した際、その内部に必要量以上の塗料などが残留して固化すると、支柱の差し込みにも支障をきたすが、Ｖ字状底板の横側面が開放されて流出することになるため、塗布作業完了後にいちいち余分な塗料などを排出する手間がいらず、塗料などの塗布作業が容易となる。
同様に、この物品載置棚を屋外に設置して支柱保持部材内部に雨水が侵入したり、あるいは、鉢植えの花などを載置し、その花に対する散水が支柱保持部材内部に侵入しても、その侵入水は自然と流出することになり、支柱保持部材内部の錆防止効果も期待できる。
【０００９】
【発明の実施の形態】
本発明による組立て式物品載置棚の実施の形態を図面に基づいて説明する。
この組立て式物品載置棚は、例えば、鉢植えの花を育成したり陳列したりするために用いるもので、図１に示すように、長方形の板材や補強枠などからなる基台１と、この基台１の四隅に固着された角筒状の支柱保持部材２と、各支柱保持部材２に対して差し込み可能な合計四本の支柱３と、これら支柱３に着脱自在な複数枚の中間棚４などから構成され、基台１下面の四隅近くには、遊転式の移動用車輪５が取り付けられている。
前記基台１は、金属製の角パイプを用いて長方形に枠組みされたフレーム６と、そのフレーム６に取り付けられた合成樹脂製のプレート７から構成され、前記フレーム６の四隅に支柱保持部材２と車輪５とが取り付けられ、プレート７の上面に鉢植えの花などの各種の物品を載置できるように構成されている。
【００１０】
前記支柱保持部材２は、金属製の板材によって構成され、図２に示すように、基台１の下面に位置するベース板８と、断面コの字型の保持板９と、断面Ｌ字型の閉鎖板１０とからなり、前記ベース板８からは、後述する係合式揺動阻止手段１１を構成するＶ字状に折曲された底板１１ａが一体的に連設され、前記保持板９の一辺の上端には、後述する係合手段１２を構成するほぼＶ字状の切欠き１２ａが設けられている。
これら各部材が溶接によって互いに固着され、図３に示すように、保持板９と閉鎖板１０とによって、上方のみ角筒状に形成されて下方横側方が開放され、かつ、底板１１ａによって底部が形成された角筒状の支柱保持部材２が形成され、その支柱保持部材２が、ベース板８から上方に向けて立設した状態に構成されている。そして、このような支柱保持部材２が、ベース板８を基台１のフレーム６下面に沿わせた状態で溶接により固着され、そのベース板８を利用して車輪５が取り付けられている。
【００１１】
前記支柱保持部材２に差し込む支柱３は、図１および図４に示すように、載置棚の前部に立設する二本の前位支柱３ａと後部に立設する二本の後位支柱３ｂとの二種類があり、各支柱３ａ，３ｂの下方一側面には、支柱保持部材２に設けた切欠き１２ａと係合するほぼＶ字状の突起１２ｂが溶接により固着され、各切欠き１２ａと突起１２ｂとによって係合手段１２が構成されている。
前位支柱３ａには、上方に位置する拡大孔部１３ａとその下部に連通する小径の落込み孔部１３ｂとからなる前位係止孔１３が、その長手方向に沿って複数個形成されている。
後位支柱３ｂには、前方から後方に向けて下方に傾斜した後位係止孔１４が、その長手方向に沿って複数個形成され、かつ、それら後位係止孔１４の前方が、後位支柱３ｂに沿って形成された一本のガイド溝１５に連通されている。
【００１２】
前記中間棚４は、長方形に枠組みされた金属製の中間棚フレーム１６と、その中間棚フレーム１６に取り付けられた合成樹脂製の中間棚プレート１７とで構成され、その中間棚４の前部両端側には、前位支柱３ａの各前位係止孔１３に嵌脱自在な前位係止ピン１８が、左右方向に出退自在に取り付けられ、中間棚４の後部両端側にも、後位支柱３ｂの各後位係止孔１４に係脱自在な後位係止ピン１９が、左右方向に出退自在に取り付けられている。
【００１３】
前位係止ピン１８は、図５に示すように、中間棚フレーム１６に摺動自在に挿通され、その先端には、前位係止孔１３の拡大孔部１３ａに嵌脱自在で、落込み孔部１３ｂよりも大径の前位拡径部１８ａが円板状に形成され、その基端部には、前位係止ピン１８の出退を手動操作し、かつ、中間棚フレーム１６への接当で前位係止ピン１８の突出量を規制する操作部１８ｂが設けられている。
後位係止ピン１９も、図６に示すように、中間棚フレーム１６に摺動自在に挿通され、その先端には、後位係止孔１４およびガイド溝１５の幅よりも大径の後位拡径部１９ａが円板状に形成され、その基端部には、中間棚フレーム１６への接当で後位係止ピン１９の突出量を規制する抜止め用の規制ピン１９ｂが設けられている。
【００１４】
この物品載置棚の組立ては、基台１の四隅にある支柱保持部材２のうち、前方に位置する二個の支柱保持部材２に前位支柱３ａを、後方に位置する二個の支柱保持部材２に後位支柱３ｂをそれぞれ差し込む。
すると、図７に示すように、各支柱３ａ，３ｂに設けられたＶ字状の突起１２ｂが、支柱保持部材２側のＶ字状の切欠き１２ａ内に挿入係合し、かつ、各支柱３ａ，３ｂの下端部１１ｂが、支柱保持部材２の底板１１ａに接当する。
各底板１１ａは、Ｖ字状の一辺のみがベース板８に一体的に連設され、その連設辺に対向する側の辺は、保持板９に溶接されているが、両側方が開放した構造であるため、底板１１ａは弾性変形が可能であり、また、連設辺に対向する側の辺をフリーにすれば、上下方向に弾性変形可能となる。つまり、各支柱保持部材２の底板１１ａと各支柱３ａ，３ｂの下端部１１ｂとが、前記係合手段１２を中心として各支柱３ａ，３ｂの下部が揺動するのを阻止する係合式揺動阻止手段１１を構成している。
【００１５】
このように基台１上に四本の支柱３ａ，３ｂを立設した後、図４に示すように、中間棚４の後位係止ピン１９を後位支柱３ｂの上部開口部からガイド溝１５内に挿入係合させ、中間棚４を目的の高さまで下動させて、後位係止ピン１９を中間棚４とともに下方へスライド移動して目的の高さの後位係止孔１４に係合させる。
そして、中間棚４をほぼ水平にし、前位係止ピン１８の操作部１８ｂを手動操作して、前位係止ピン１８を左右外方に突出させ、前位支柱３ａの前位係止孔１３の拡大孔部１３ａに嵌入させ、その後、中間棚４の前部をわずかに押し下げて、前位係止ピン１８を落込み孔部１３ｂに落込む。
このようにして、複数枚の中間棚４を四本の支柱３ａ，３ｂに取り付け、必要に応じて、前後に位置する前位支柱３ａと後支柱３ｂとの上部開口部にわたって上部ステー２０をはめ込み、支柱３ａ，３ｂの前後方向への開きを防止する。
【００１６】
中間棚４の取り付け高さを変更する場合は、中間棚４の前部を持ち上げて、前位係止ピン１８を落込み孔部１３ｂから拡大孔部１３ａに移動させ、操作部１８ｂを手動操作して、前位係止ピン１８を前位係止孔１３から脱抜する。そして、中間棚４を前方に引き寄せて、後位係止ピン１９をガイド溝１５に引き出し、その状態で中間棚４を目的の高さまで上下動させた後、上述したように、前位係止ピン１８を前位係止孔１３に、後位係止ピン１９を後位係止孔１４に係合して、中間棚４の取り付け高さを変更する。
中間棚４を後方から前方に傾斜させる場合には、高さ変更の場合と同様に、前位係止ピン１８を前位係止孔１３から脱抜し、図８に示すように、前位係止ピン１８をひとつ下方の前位係止孔１３に係合するのである。
【００１７】
中間棚４や支柱３ａ，３ｂなどを取り外す場合には、上述した組立てと逆の手順で取り外すのであり、この物品載置棚を搬入するときなどには、図９および１０に示すように、中間棚４を基台１上に積み重ね、基台１どうしを積み重ねて移動して搬入することができる。
具体的に説明すると、中間棚４の後位係止ピン１９を後位支柱３ｂの上部開口部からガイド溝１５に挿入係合させ、ガイド溝１５の下端部まで中間棚４を下動させる。このようにして、複数枚の中間棚４を順次基台１上に積み重ねていくことができ、後位係止ピン１９がガイド溝１５に係合されているので、中間棚４を積み重ねた基台１を移動するときに、中間棚４が落ちたり、がたついたりしないようにすることができる。そして、基台１については、支柱保持部材２の上部開口部に支柱保持部材２のＶ字状底板１１ａを順次嵌合位置させて、複数の基台１を積み重ねていくことができる。
このようにして、中間棚４を基台１上に積み重ね、基台１どうしを積み重ねて移動できるので、搬入作業を円滑にすることができる。また、物品載置棚１を使用しないときにも、上述したように、中間棚４を基台１上に積み重ねて保管すると、保管するスペースを小さくできる。
【００１８】
また、図１１に示すように、上述した組立て式物品載置棚を２組背中合わせに配置し、後位支柱３ｂの上部開口部のそれぞれに連結部材２１を挿入して、組立て式物品載置棚を連結し、物品を載置するスペースを広くすることができる。
【００１９】
〔別実施形態〕
（１）先の実施形態においては、基台１上に四本の支柱３を立設する構造を示したが、支柱３の本数については、例えば、六本や八本にするなど、種々変更が可能である。また、複数の支柱３において、前位支柱３ａと後位支柱３ｂとを異なる構造にした例を示したが、複数の支柱３を全て同じ構造にすることもでき、また、中間棚４についても、必ずしも先の実施形態のものに限らず、種々変更して実施することができる。
【００２１】
（２）基台１の下面に移動用の車輪５を設けた例を示したが、車輪５は必ずしも不可欠なものではなく、このような移動用の車輪５をなくして実施することもできる。
【図面の簡単な説明】
【図１】組立て式物品載置棚の斜視図
【図２】支柱保持部材の分解斜視図
【図３】支柱保持部材の組立て斜視図
【図４】組立て式物品載置棚の要部斜視図
【図５】中間棚の要部の一部切欠き正面図と平面図
【図６】中間棚の要部の一部切欠き背面図と平面図
【図７】組立て式物品載置棚の要部正面図
【図８】組立て式物品載置棚の要部側面図
【図９】中間棚の積み重ね正面図
【図１０】基台の積み重ね正面図
【図１１】組立て式物品載置棚の要部斜視図
【図１２】従来例を示す組立て式物品載置棚の要部正面図
【符号の説明】
１        基台
２        支柱保持部材
３        支柱
４        中間棚
５        車輪
１１      係合式揺動阻止手段
１１ａ    底板
１１ｂ    支柱の下端部
１２      係合手段
１２ａ    切欠き
１２ｂ    突起
【図１】
0003546216.tif 000002
【図２】
0003546216.tif 000003
【図３】
0003546216.tif 000004
【図４】
0003546216.tif 000005
【図５】
0003546216.tif 000006
【図６】
0003546216.tif 000007
【図７】
0003546216.tif 000008
【図８】
0003546216.tif 000009
【図９】
0003546216.tif 000010
【図１０】
0003546216.tif 000011
【図１１】
0003546216.tif 000012
【図１２】
0003546216.tif 000013